(57)【特許請求の範囲】
【請求項１】
中空管状のブームの管壁に備えさせた二個一対の管壁孔には中空管状のアンテナ素子を貫通させ、かつ、
そのアンテナ素子は上記ブームに固着してあるアンテナにおいて、
上記ブームの管壁における左右の壁部の内面の夫々には、上下方向に相互間に間隙を形成する状態でブームの軸心方向に長い二条のリブが並設されており、
上記左右の壁部内面に夫々配した二条のリブの断面形状は、左右方向の相対向するリブに近い側に頂部が形成されるように山形状に形成されており、
一方、上記管壁孔の直径は、上記左右の各二条のリブの頂部相互間の間隙よりも大きく形成してあり、
上記中空管状のブームに対するアンテナ素子の固着は、
上記四条のリブの夫々の頂部における管壁孔に対するところに形成される８個の尖頭部が、夫々対応するアンテナ素子の周壁に食い込ませてあって、
上記８個の尖頭部でもって、アンテナ素子の回動と軸線方向の移動を阻止するような状態でもって上記中空管状のブームにアンテナ素子が固着されていることを特徴とするブームに対するアンテナ素子の固定部の構造。
【請求項２】
中空管状のブームの管壁には、中空管状のアンテナ素子をブームの左右方向に貫通させる為の二個一対の管壁孔を設け、
上記二個一対の管壁孔には中空管状のアンテナ素子を貫通させ、
上記ブームに加圧力を加えてブームを変形させることにより、
上記ブームに対してアンテナ素子を固着するようにしたアンテナ素子の固定方法において、
上記ブームの管壁における左右の壁部の内面の夫々には、上下方向に相互間に間隙を形成する状態でブームの軸心方向に長い二条のリブが並設されており、
上記左右の壁部内面に夫々配した二条のリブの断面形状は、左右方向の相対向するリブに近い側に頂部が形成されるように山形状に形成されており、
一方、上記管壁孔の直径は、上記左右の各二条のリブの頂部相互間の間隙よりも大きく形成してあり、
上記ブームを上下方向に加圧することにより、
ブームの管壁における上下の壁部を相互に近づける方向に変形させると共に、左右の壁部は相互に遠く離れるように変形させ、
上記変形によって上記左右の各二条のリブを上下の頂部が相互に近づくように変位させ、
上記夫々のリブの変位によって、上記四条のリブの各頂部，における管壁孔に対するところに形成されている８個の尖頭部を、夫々対応するアンテナ素子の周壁に食い込ませ、
上記８個の尖頭部でもって、アンテナ素子の回動と軸線方向の移動を阻止するようにすることを特徴とするアンテナ素子の固定方法。
【発明の詳細な説明】
【技術分野】
【０００１】
本発明は、例えばＵＨＦ、その他の通信信号の送受をする場合に、中空管状のブームに二個一対の貫通孔を備えさせ、その貫通孔に対して、パイプ状のアンテナ素子を貫通させた状態で固定させたアンテナ素子の固定部の構造及びその固定方法に関するものである。
【背景技術】
【０００２】
従来より、中空管状のブームに二個一対の貫通孔を備え、その貫通孔に対して、パイプ状のアンテナ素子を貫通させた状態で固定させたアンテナ素子の固定部の構造及びその固定方法は広く知られている（例えば、特許文献１参照）。  例えば特許文献１に示されるアンテナ素子の固定方法は次のようにされている。
中空管状のブームの管内においては、断面形状においてアンテナ素子の存置予定位置の両側となる位置を中間にしてそれの上下両側位置に夫々上記ブームの軸心方向に伸びる板状のリブを備えさせ、次に、上記ブームの管壁孔にアンテナ素子を貫通させ、
中空管状のブームの外壁に上下方向から加圧力を加えて中空管状のブームの外壁を相互に近づけ、その中空管状のブームの外壁を相互に近づけることにより、ブーム管内の軸心方向に直線状のリブの自由端を上記中空管状アンテナ素子の管壁に押し当てて固定している。
【０００３】
【特許文献１】特許第４０６４８３６号公報
【発明の開示】
【発明が解決しようとする課題】
【０００４】
この従来のアンテナ素子の固定方法では、
ブームを変形させる場合、ブームの軸心方向に長い直線状のリブでアンテナ素子の周壁を押さえつけるので、押え量が僅かに不足すると、アンテナ素子の周壁からのスプリングバックによって、アンテナ素子の周壁に対するリブの押え状態は不安定になり、ブームに対するアンテナ素子の抜け止め、回り止めが十分にされず信頼性に欠ける問題点があった。
【０００５】
上記問題点を解決する為にブームの外周を局部的に加圧変形させて、ブームにおける局部的変形部分でアンテナ素子を固着する手段も提供されている。しかし、ブームの外周を局部的に加圧変形させると、その局部的変形部分から腐食する問題点が発生していた。
【０００６】
本件出願の目的は、ブーム貫通孔に対してアンテナ素子を貫通させた状態で固定させることができるは勿論、ブームに対してアンテナ素子を固定する場合、ブームの管壁孔にアンテナ素子を貫通させて、ブームを上下方向に加圧するだけで、ブームに対してアンテナ素子を極めて簡便に固定できるアンテナ素子の固定部の構造及びその固定方法を提供しようとするものである。
他の目的は、ブームを変形させる場合、ブーム内の左右の各二条のリブ における８個の尖頭部を、夫々対応するアンテナ素子の周壁に食い込ませて、ブームに対するアンテナ素子の抜け止めと回り止めをして長寿命で使用することができるアンテナ素子の固定部の構造及びその固定方法を提供しようとするものである。
他の目的及び利点は図面及びそれに関連した以下の説明により容易に明らかになるであろう。
【課題を解決するための手段】
【０００７】
本発明におけるアンテナ素子の固定部の構造は、中空管状のブーム３の管壁４に備えさせた二個一対の管壁孔１３には中空管状のアンテナ素子20を貫通させ、かつ、そのアンテナ素子20は上記ブーム３に固着してあるアンテナにおいて、上記ブーム３の管壁４における左右の壁部４ｂ、４ｄ、４ｆ、４ｈの内面の夫々には、上下方向に相互間に間隙Ｓを形成する状態でブーム３の軸心方向に長い二条のリブ８，８が並設されており、上記左右の壁部内面に夫々配した二条のリブ８，８の断面形状は、左右方向の相対向するリブ８に近い側に頂部１１が形成されるように山形状に形成されており、一方、上記管壁孔１３の直径Ｄ１は、上記左右の各二条のリブ８，８の頂部１１相互間の間隙Ｓよりも大きく形成してあり、上記中空管状のブーム３に対するアンテナ素子２０の固着は、上記四条のリブの夫々の頂部における管壁孔１３に対するところに形成される８個の尖頭部14、14・・・・14が、夫々対応するアンテナ素子２０の周壁20ａに食い込ませてあって、上記８個の尖頭部14、14・・・・14でもって、アンテナ素子２０の回動と軸線方向の移動を阻止するような状態でもって上記中空管状のブーム３にアンテナ素子２０が固着されているものである。
【０００８】
また本発明におけるアンテナ素子の固定方法は、  中空管状のブーム３の管壁４には、中空管状のアンテナ素子２０をブーム３の左右方向に貫通させる為の二個一対の管壁孔１３，１３を設け、  上記二個一対の管壁孔１３，１３には中空管状のアンテナ素子２０を貫通させ、上記ブーム３に加圧力を加えてブームを変形させることにより、上記ブーム３に対してアンテナ素子２０を固着するようにしたアンテナ素子の固定方法において、上記ブーム３の管壁４における左右の壁部４ｂ、４ｄ、４ｆ、４ｈの内面の夫々には、上下方向に相互間に間隙Ｓを形成する状態でブーム３の軸心方向に長い二条のリブ８，８が並設されており、上記左右の壁部内面に夫々配した二条のリブ８，８の断面形状は、左右方向の相対向するリブ８に近い側に頂部１１が形成されるように山形状に形成されており、
一方、上記管壁孔１３の直径Ｄ１は、上記左右の各二条のリブ８，８の頂部１１相互間の間隙Ｓよりも大きく形成してあり、上記ブーム３を上下方向に加圧することにより、
ブーム３の管壁４における上下の壁部４ａ、４ｅを相互に近づける方向に変形させると共に、左右の壁部４ｃ、４ｇは相互に遠く離れるように変形させ、上記変形によって上記左右の各二条のリブを上下の頂部が相互に近づくように変位させ、上記夫々のリブの変位によって、上記四条のリブの各頂部１１，１１における管壁孔１３に対するところに形成されている８個の尖頭部14、14・・・・14を、夫々対応するアンテナ素子２０の周壁20ａに食い込ませ、上記８個の尖頭部14、14・・・・14でもって、アンテナ素子２０の回動と軸線方向の移動を阻止するようにするものである。
【発明の効果】
【０００９】
以上のように本発明の請求項１によれば、ブーム３に対するアンテナ素子２０の固定状態は、ブーム内における左右の各二条のリブ８、８、８、８における８個の尖頭部14、14・・・・14を、夫々対応するアンテナ素子の周壁20ａに食い込ませてある状態なので、
アンテナ素子の固定は確実で信頼性の高い品質上の効果がある。
【００１０】
しかも本発明は、上記ブームに対するアンテナ素子の固定部は、ブーム３の管壁内のリブにおける尖頭部14、14・・・・14を、ブーム３の管壁内に位置するアンテナ素子２０の周壁20ａに食い込ませて固定されており、固定部分は、ブーム３の管壁によって外部から保護されているので、外部からの腐食を防いで長寿命で使用することができる効果がある。
【００１１】
さらに本発明の請求項２によれば、ブーム３に対してアンテナ素子２０を固定する場合、ブームの管壁孔１３にアンテナ素子２０を貫通させて、ブーム３を上下方向に加圧するだけで、ブーム３の管壁４における上下の壁部４ａ、４ｅを相互に近づける方向に変形させると共に、左右の壁部４ｃ、４ｇは相互に遠く離れるように変形させ、上記変形によってブーム内における左右の各二条のリブ８、８、８、８をも上下の頂部が相互に近づくように変位させて、アンテナ素子２０の周壁20ａに食い込ませることができるので、ブーム３に対してアンテナ素子２０を極めて簡単に固定できるという作業上の効果がある。
【発明を実施するための最良の形態】
【００１２】
以下本発明の実施の形態を図面を用いて説明する。
図１において、Ａはアンテナ、例えば周知のＵＨＦ波の送受に利用される周知のアンテナを示す。アンテナＡにおいて、３は中空管状のブーム、１９は導波器、２５は放射器、２６は反射器を示しブーム３に対して装着されている。導波器１９において２０は、任意複数の中空管状のアンテナ素子で、ブーム３の軸心に対して直交する方向に向けて、夫々二個一対の管壁孔１３を貫通した状態で固定されている。
なお、当分野においてアンテナは、図５の状態でブーム３に対してアンテナ素子を左右に突出させた状態で使用される場合が多い。しかし、アンテナ素子を上下に向けた状態で使用される場合もある。従って、当業者は利用の形態によって上下左右の呼び名を変更して用いている。このような事情から本件（特許請求の範囲、明細書、図面）においては、上下左右の用語の用い方においては、仮に、図５の状態で用いられた場合を想定して、エレメントの突出方向を「左右」とし、図面上の上下を、そのまま「上下」と称して説明する。
【００１３】
次に、ブーム３に対するアンテナ素子２０の固定部の構造に関連する構成について説明する。なお、図２〜６に示されるブーム３はブーム管壁４の変形前の状態を示す。
ブーム３は、周知のようにアルミニウム或は塑性変形可能な硬質材によって形成されている。ブーム３の管壁４の断面形状は、図３、５に示される壁部４ａ〜４ｈ’（第１壁部から第１２壁部））で囲まれた多角形状にしてあり、上下の壁部４ａと４ｅ間の寸法Ｓ１は、左右の壁部４ｃと４ｇ間の寸法Ｓ２より大きく設定してある。
【００１４】
図３〜５に表れる上記ブーム３の管壁４における左右の壁部（左側の第３壁部４ｂ’、左側の第５壁部４ｄ’、右側の第１壁部４ｈ’、右側の第９壁部４ｆ’）の内面の夫々には、上下方向に相互間に間隙Ｓを形成する状態でブーム３の軸心方向に長い二条のリブ８が並設されている。リブ８のそれ添えの元部１２は、管壁４と一体材でもって一体的に成形してあり、夫々の対応壁部の肉厚を補強している。１１はリブ８における第１斜面９と第２斜面１０とで形成される頂部を示す。リブ８の断面形状は、左右方向の相対向するリブ８に近い側に頂部１１が形成されるように山形状に形成されている。
このように内面に４条のリブを備えるブーム３は、通常知られているように押出成形によっても製作できる。
【００１５】
次に、アンテナ素子２０を固着する手段について説明する。
まず、図１〜５の中空管状のブーム３の管壁４に対し、周知の手段を用いて、複数の中空管状のアンテナ素子２０を、ブーム３の左右方向に貫通させる為の二個一対の管壁孔１３を所定間隔を隔てながら複数穿孔形成する。
上記管壁孔１３の直径Ｄ１は、周知のようにアンテナ素子２０の外径Ｄ２が挿通できるように対応寸法にしてあり、しかも、左右の各二条のリブ８，８の稜線とも感じられる頂部１１，１１（以下稜線ともいう）の相互間の間隙Ｓよりも大きく形成してある。管壁孔１３を形成すると、図３〜５に表れるように、夫々のリブにおける第１斜面９側も、第２斜面１０側も夫々一部は削り取られ、そこには円弧状の添付面１６が夫々形成される。さらに、ブーム３内の左右の各二条のリブの稜線１１，１１は、夫々管壁孔１３が設けられた位置において、貫通孔１３に対しており、そこでは連続性が遮断されている。この稜線１１が貫通孔１３とたいした位置において、リブ８の第１斜面９と第２斜面１０と、添付面１６とによって、各リブにつき２個（全部で８個）の尖頭部１４、１４が形成される。尖頭部１４、１４の左右方向の間隔は図４に表われているように、管壁孔１３の直径Ｄ１より小さくなっている。また上記の間隔は、尖頭部１４、１４による管壁の変形が相互に干渉しない距離にしてある。
なお、リブ８の断面形状は、管壁孔１３によって、２個の尖頭部１４、１４が形成されるような形状であればよく、例えば図３（Ａ）に実線で示すように、第１斜面９をアンテナ素子２０の軸心に平行させてもよいし、一点鎖線や二点鎖線で示すように第１斜面９が内向き、外向きに傾斜させた形状にしてもよい。
次に、上記二個一対の管壁孔１３、１３に対して、通常行われるように中空管状のアンテナ素子20を貫通させる。この状態では、アンテナ素子20は図３、６、７のように、左右の各二条のリブにおいて上下二つの添付面１６、１６と４個の尖頭部１４によって夫々支持される。
【００１６】
次に、図６のブーム３を上下方向に加圧することにより、図８に表れるようにブーム３を変形させ、その変形によって、ブーム内におけるリブ８、８、８、８をも上下の稜線が相互に近づくように変位させて、アンテナ素子２０の周壁20ａに食い込ませる。
この点について、ブーム３の管壁４、ブーム内のリブ８、ブーム３内に位置するアンテナ素子２０夫々の動作を、図６〜１２を用いて以下詳しく順次説明する。
なお、図６、７は変形前のブーム３の状態を示し、図６は図２のＡ−Ａ線位置断面図、図７（Ａ）は図２のＢ−Ｂ線位置断面図、図７（Ｂ）は図２のＣ−Ｃ線位置断面図である。図８〜１０は変形後のブーム３の状態を示し、図８は図２のＡ−Ａ線位置断面図、図９（Ａ）は図２のＢ−Ｂ線位置断面図、図９（Ｂ）は図２のＣ−Ｃ線位置断面図を示す。図１０は、図９（Ｂ）のＸ−Ｘ線位置断面。図１１は図６の符号Ｇ１部と図８のＧ２部の輪郭を重ねて示す壁部とリブの動作図を示す。
図１１はブーム３に対するアンテナ素子２０の固定完了後のアンテナ素子２０の状態を示す図である。
【００１７】
まず、ブーム３の管壁４の動作に関連する動作は次の通りである。図６に示されるブーム３を上下方向に加圧することにより、図８、９に表れるようにブーム３の管壁４における上下の壁部４ａ、４ｅを相互に近づける方向に変形させると共に、左右の壁部４ｃ、４ｇは相互に遠く離れるように変形させる。この変形させる手段としては、例えば断面形状が図６に示されている金型３０，３０を用いる。ブーム３を中間にして、互いに対向する状態で一対のプレス金型３０、３０を配置する。金型３０における30ｃは、この金型の内側面に対して夫々ブーム３の仕上がり予定の外周形状（図８のブームの外周形状）に対応する形状の凹部を示す。（なお、金型３０，３０の長手方向（ブームの軸心方向と同じ）の長さは、複数のアンテナ素子２０を同時に固着できるような長さにしてもよい。）
図６の状態で上下二つのプレス金型３０、３０を夫々矢印３５、３６に向けて近付ける。すると、上の第１壁部４ａと下の第５壁部４ｅとは、プレス金型３０、３０に押されて相互に近づく方向（矢印３５、３６方向）に移動する。この移動と共に、左の第４壁部４ｃと右の第１０壁部４ｇとは相互に遠ざかる方向（矢印３７、３８方向）へと広がる。左右の壁部４ｃ、４ｇが広がる際、ここは図示のように両側のリブが存在する部分（4b’，4d’、4h’、4f’）より肉薄であったり、管壁孔１３の存在で耐曲げ力が弱くなっていたりしていて、夫々壁部の上下方向の中央位置を頂点として、図示のように膨出状に変形する。このような、上下の壁部４ａ、４ｅの移動と左右の壁部４ｃ、４ｇの移動に伴い、左上の壁部４ｂと右上の壁部４ｈはハの字状に広がり、左下の壁部４ｄと右下の壁部４ｆは逆ハの字状に広がる。
その結果、ブーム３の管壁４の形状は、図８に表れるような形状に変形する。この変形により、ブームの管壁４における角部の内、上下の第１、６角部５ａ、５ｆ、第３、４角部５ｃ、５ｄの角度は図６、図８に表れるように大きく広がり、左右の第２、５角部５ｂ、５ｅの角度は図６、図８に表れるように小さくなる。このように上下を加圧して縮小することにより、ブーム３の断面形状は、上下の壁部４ａと４ｅ間の寸法Ｓ３と、左右の壁部４ｃと４ｇ間の寸法Ｓ４が略同じ寸法になり、見た目が良くなって、商品価値が高くなる。なお、ほぼ同じ寸法とは、概略でよく、適当な距離から見て、例えば２〜３ｍ程度離れた場所からブームの外形をみて、上下左右が同じ寸法に見える程度であればよい。
なお、図２、５のブーム３の管壁４外面における４ｊは折目を示す。
【００１８】
次に、上記ブーム３の管壁４の変形によって変位するブーム内のリブ８の動作は次の通りである。前述したブームの管壁４における左の壁部４ｂ、４ｂ’と壁部４ｄ、４ｄ’の変形によって、図６の左の二条のリブ８（８ａ、８ｂ）も夫々、図８に示されるように、上下の稜線１１、１１が相互に近づくように変位する。また右のリブ８（８ｃ、８ｄ）にあっても同様に、図６の右の壁部４ｈ、４ｈ’と壁部４ｆ、４ｆ’の変形によって、二条のリブ８ｃ、８ｄは夫々、図８、１０のように上下の稜線１１、１１が相互に近づくように変位する。
【００１９】
この左右夫々のリブ８ａ〜８ｄの変位によって、８個の尖頭部14、14・・・・14と４つの添付面16、16、16、16は、図９、１０のように、夫々対応するアンテナ素子２０の周壁20ａに食い込む。その際の、上記左右の各二条のリブ８における上下夫々の稜線１１，１１の途切れたところに形成されている８個の尖頭部14、14・・・・14の動作は次の通りである。
図７（Ｂ）の変位前の状態において、右の二条のリブ８ｃ、８ｄにおける２個の尖頭部１４，１４にあっては、図示のようにアンテナ素子２０の外周20ｂに沿った状態となっている。リブ８ｃ、８ｄの変位に伴い、尖頭部１４も変位して図９（Ｂ）の状態となる。
この動きを右のリブ８ｃにおける尖頭部の内、１個の尖頭部１４を例にとって図１１を用いて詳しく説明する。前述したように、管壁４における壁部４ｈ,4ｈ’の二点鎖線で示す位置から実線で示す位置へ移動する。その移動に伴い、リブ８ｃは矢印３９方向へ移動し、二点鎖線で示す位置から実線で示す位置に変位する。その変位に伴って尖頭部１４も二点鎖線で示す位置から実線で示す位置に変位し、距離Ｓ５間を大きく移動する。
このような尖頭部１４の移動は、右のリブ８ｃにおけるもう１個の尖頭部１４についても同様に考えることができる。さらに、当然のことながら、右のリブ８ｄの２個の尖頭部１４、１４についても、リブ８ｃにおける２個の尖頭部１４、１４と対照の動きをし、左の二条のリブにおける４個の尖頭部についても、右の二条のリブにおける４個の尖頭部と対称位置で同様の動作をする。
このように、左右の各二条のリブにおける８個の尖頭部14、14・・・・14が同時に移動し、その際、８個の尖頭部14、14・・・・14は、夫々対応位置にあるアンテナ素子２０の外周面20ｂを押え付けて、アンテナ素子２０の管壁20ａに食込みながら移動する。
【００２０】
次に、上記左右の各二条のリブ８における上下夫々の稜線１１，１１の途切れたところに形成されている４箇所の添付面１６とそれらの角部１６ａの動作は次の通りである。
図７（A）の変位前の状態において、右の二条のリブ８ｃ、８ｄにおける上下の添付面１６、１６とその角部１６ａにあっては、図示のようにアンテナ素子２０の外周面20ｂに沿った状態となっている。
リブ８ｃ、８ｄが前述したように変位すると、添付面１６とその角部１６ａも変位して図９（Ａ）の状態となる。
この動きを右のリブ８ｃにおける添付面１６とその角部１６ａを例にとって、図１１を用いて詳しく説明する。前述の尖頭部１４の動作で説明したと同様に、管壁４における壁部４ｈ、４ｈ’の移動によって、リブ８ｃは矢印３９方向へ移動し、二点鎖線で示す位置から実線で示す位置に変位する。その変位に伴って添付面１６とその角部１６ａも二点鎖線で示す位置から実線で示す位置に変位し、距離Ｓ６間を移動する。この移動距離は、添付面１６が上下方向において、稜線１１よりもアンテナ素子２０に対して遠い位置にあるので、小さい。従って管壁に対する食込みは比較的小さい。
このような添付面１６とその角部１６ａの移動は、当然のことながら、図９（Ａ）の右下方にあるリブ８ｄの添付面１６とその角部１６ａについても、リブ８ｃにおける添付面１６とその角部１６ａと対照的な動きをし、左の二条のリブ８ａ、８ｂにおける上下夫々の添付面１６とその角部１６ａについても、右の二条のリブにおける上下の添付面１６とその角部１６ａと対称的に同様の動作をする。
このように、左右の各二条のリブにおける４個の添付面１６とそれらの角部１６ａが同時に移動し、その際、アンテナ素子の外周に対応する円弧形状の添付面１６は、夫々対応位置にあるアンテナ素子２０の外周面20ｂをソフトに押え、角部１６ａがアンテナ素子２０の管壁20ａに添って柔らかに食込みながら移動する。
【００２１】
次に、アンテナ素子２０の変形は次の通りである。
前述したように、８個の尖頭部14、14・・・・14と、４箇所の添付面１６とその角部16ａがアンテナ素子２０の軸心方向（図９，１２における左右方向）に移動しながら変位する。その変位により、アンテナ素子２０の周壁20ａは変形する。図９（Ａ）の添付面１６とその角部16ａの部分においては、緩やかな円弧状の添付面１６に添って変形し、上下方向の寸法Ｄ５は、変形前の直径Ｄ２（図７（Ａ）参照）に比べて小さく潰されている。
図９（Ｂ）の尖頭部１４の部分においては、左右夫々において、尖頭部で周壁20ａに放射方向から楔を打たれたように変形する。上下方向の寸法Ｄ４は、添付面１６部分よりもさらに小さく潰されている。さらに、図１０に表われるアンテナ素子２０の横方向への変形は、添付面１６の部分よりも余分に（寸法Ｄ６だけ余分に）横方向へ広がって潰されている。
これらの変形は、図１２に示される変形後の平面図にも表れている。図１２において、矢印４１は添付面１６と尖頭部１４の移動方向を示し、２２は左右上部のリブ８ａ、８ｃにおける４個の尖頭部の変位による食込みの軌跡、２３は図８，９のリブ８ａ、８ｃにおける２個の添付面１６、１６よる食込みの軌跡で、２３ａは移動の軌跡、２３ｂは添付面１６によってソフトに押えられている軌跡を示す。
【００２２】
以上のように、ブーム３を上下方向に加圧することにより、８個の尖頭部14、14・・・・14と、４個の添付面１６とそれらの角部16ａを、夫々対応するアンテナ素子２０の周壁20ａに食込ませた結果、ブーム３の管内におけるアンテナ素子の固定部は、図８〜１０のような状態になる。この状態にあっては、図９、１０，１２から理解できるように、アンテナ素子２０は、８個の尖頭部14、14・・・・14によって周壁20ａに放射方向から楔を打たれたようになっており、アンテナ素子の軸心方向（図９の矢印４３方向）への移動は阻止され、かつ、周方向（図１０の矢印４４方向）の回動も確実に阻止される。
しかも、尖頭部１４よりも左右の管壁孔縁付近において４個所の緩やかな円弧状の添付面１６でソフトにおさえられているので、アンテナ素子はブームに対してしっかりと固定することができる。
なお、ブーム４に対するアンテナ素子２０の固定状態において、アンテナ素子の周壁20ａを押えている部分は、ブームの軸線方向に長く、かつ、断面形状が山形の丈夫なリブ８における稜線１１の  ほんの一部分である尖頭部１４で押えているので、ブームによるスプリングバックは殆ど発生せず、 アンテナ素子の周壁に対する左右夫々４個の尖頭部の食いつき状態は持続し、固定状態は信頼できる。
【実施例】
【００２３】
図１３は、変形前と変形後におけるブーム３の断面形状における管壁、管壁内面のリブの形状と大きさ、管壁孔の大きさについての具体例を示す。図１３に示される括弧（）付きの数字は変形前と変形後との相互の寸法（単位：ｍｍ）である。よって、この数字をブーム３について変形前と変形後における対応部位の相互の寸法比率として理解することもできる。なお、図13のブーム３はアルミニウム合金（アルミＡ６０６３−Ｔ５）を用いて形成し、アンテナ素子（アルミ）は外径：８ｍｍ、内径：７ｍｍのものを用いた。
次に、図１４は上記ブーム３の管壁４の変形の度合を、ブームの第１角部５ａ、５ｆ、第３角部５ｃ、５ｄの角度と、左右の第２角部５ｂ、５ｅとの角度との観点から見た具体例を示す。図１４において、一点鎖線は加圧変形前のブームの外形を示し、実線は加圧変形前のブームの外形を示す。
図示の如く第１角部５ａ、５ｆ、第３角部５ｃ、５ｄにおいては、変形前の角度は１００度であったのが、変形後は１２０度となった。変形の度合いは約２０％程度となっている。第２角部５ｂ、５ｅにおいては、変形前の角度は１６０度位であったのが、変形後は１２０度であった。変形の度合いとしては、約２５％程度となっている。
【００２４】
次に、図１〜１２のブームとはブーム３の管壁４の断面形状の点において異なる例を示す図１５について説明する。
なお、図１５において前述の図１〜１２のものと機能、性質、手段又は特徴等が同一又は均等構成と考えられる部分には、前述の図１〜１２と同一の符号を付して重複する説明を省略する。
図１５のブーム３において、管壁４における第１壁部４ａと第５壁部４ｅは丸みを帯びた形状にしてあり、ブーム３断面形状が略楕円形状になっている。変形後において、第１壁部４ａと第５壁部４ｅが丸みを帯びた形状のブーム３を提供することができる。
この場合にあっては、プレス金型30ｄ、30ｄにおける凹部30ｆ、30ｆは、ブーム３の仕上がり予定の外周形状に対応する形状に設定するとよい。
さらに、前述の説明において、ブーム３の上下の壁部４ａと４ｅ間の寸法Ｓ１と、左右の壁部４ｃと４ｇ間の寸法Ｓ２との関係が、寸法Ｓ１＞寸法Ｓ２であるものとしたが、寸法Ｓ１＝寸法Ｓ２としてもよい。その場合は、変形後のブーム３の上下の壁部４ａと４ｅ間の寸法Ｓ３と、左右の壁部４ｃと４ｇ間の寸法Ｓ４との関係は、寸法Ｓ３＜寸法Ｓ４となる。
【図面の簡単な説明】
【００２５】
【図１】アンテナの斜視図。
【図２】管壁変形前のブームの左側面図。
【図３】管壁変形前のブームの断面図で、（Ａ）は図２のＡ−Ａ線位置断面図、（Ｂ）は図２のＢ−Ｂ線位置断面図、（Ｃ）は図２のＣ−Ｃ線位置断面（なお、アンテナ素子の存在を一点鎖線で示す）。
【図４】図３（Ａ）のＩＶ−ＩＶ線断面図。
【図５】管壁変形前のブームの一部を破断して示す斜視図。
【図６】図２のＡ−Ａ線位置における断面図で、ブームに対するアンテナ素子の固定方法を説明する為の一部破断して示す概略断面図。
【図７】ブームに対するアンテナ素子の固定方法を説明する為の一部破断して示す概略断面図で、（Ａ）は図２のＡ−Ａ線位置の断面図、（Ｂ）は図２のＢ−Ｂ線位置の断面図。
【図８】変形後の図２におけるＡ−Ａ線位置における断面図。
【図９】（Ａ）は変形後の図２におけるＢ−Ｂ線位置における断面図、（Ｂ）は変形後の図２におけるＣ−Ｃ線位置における断面図。
【図１０】図９（Ｂ）のＸ−Ｘ線位置断面。
【図１１】図６の符号Ｇ１部と図８のＧ２部の輪郭を重ねて示す壁部とリブの動作図。
【図１２】ブームに対するアンテナ素子の固定完了後のアンテナ素子の状態を示す平面図。
【図１３】（Ａ）はブームの変形前と変形後における具体的な寸法の一例を示す図。
【図１４】ブームの変形の度合を示す概略模式図。
【図１５】ブームの異なる例を説明する為の概略断面図（図１のＢ−Ｂ線位置断面を示す。）
【符号の説明】
【００２６】
Ａ・・・アンテナ、３・・・ブーム（アーム）、４・・・管壁、４ａ・・・第１壁部、４ｂ・・・第２壁部、４ｂ’・・・第３壁部、４ｃ・・・第４壁部、４ｄ’・・・第５壁部、４ｄ・・・第６壁部、４ｅ・・・第７壁部、４ｆ・・・第８壁部、４ｆ’・・・第９壁部、４ｇ・・・第１０壁部、４ｈ’・・・第１１壁部、４ｈ・・・第１２壁部、４ｊ・・・折目、５（5a〜5f）・・・角部、８（8a〜8d）・・・リブ、９・・・第１斜面、１０・・・第２斜面、１１・・・稜線、１３・・・管壁孔、 １４・・・尖頭部、１６・・・添付面16ａ・・・添付面の角、１９・・・導波器、２０・・・アンテナ素子２０ａ・・・管壁、２０ｂ・・・外周、２２・・・食込み跡、２３・・・食込み、２３ａ・・・移動の軌跡、２３ｂ・・・軌跡、２５・・・放射器、２６・・・反射器、３０・・・プレス金型、３０ｃ・・・凹部
【図１】
0005044481.tif 000002
【図２】
0005044481.tif 000003
【図３】
0005044481.tif 000004
【図４】
0005044481.tif 000005
【図５】
0005044481.tif 000006
【図６】
0005044481.tif 000007
【図７】
0005044481.tif 000008
【図８】
0005044481.tif 000009
【図９】
0005044481.tif 000010
【図１０】
0005044481.tif 000011
【図１１】
0005044481.tif 000012
【図１２】
0005044481.tif 000013
【図１３】
0005044481.tif 000014
【図１４】
0005044481.tif 000015
【図１５】
0005044481.tif 000016